(57)【要約】【課題】シートを容易に施工することができるシート施工用具を提供する。【解決手段】ロール状に巻かれたシート８を軸回り方向に回転可能に保持する保持部２と、シート８の軸方向の巻きずれを抑える巻きずれ抑制部３とを備える。【選択図】図１
2019094740.tif 000002
【特許請求の範囲】
【請求項１】
ロール状に巻かれたシートを軸回り方向に回転可能に保持する保持部と、
前記シートの軸方向の巻きずれを抑える巻きずれ抑制部とを備えたシート施工用具。
【請求項２】
請求項１に記載のシート施工用具において、
前記シートの軸方向が上下方向に沿うように吊り下げ可能な把持部を備えたシート施工用具。
【請求項３】
請求項２に記載のシート施工用具において、
前記把持部が前記シートの軸方向に対して角度変更可能であるシート施工用具。
【請求項４】
請求項１〜３のいずれか１項に記載のシート施工用具において、
前記巻きずれ抑制部が前記保持部に接続されており、
前記巻きずれ抑制部の前端は、前記保持部の前端と同じ又は前記保持部の前端よりも後方に位置したシート施工用具。
【発明の詳細な説明】
【技術分野】
【０００１】
本発明は、シート施工用具に関する。
【背景技術】
【０００２】
特許文献１には、外壁材と、外壁材の屋内側に配設される構造用合板材などの構造用面材と、を備え、この構造用面材の屋外側の面に透湿防水シートが貼付された外壁構造が開示されている。
【先行技術文献】
【特許文献】
【０００３】
【特許文献１】特開２０１２−１９３０号公報
【発明の概要】
【発明が解決しようとする課題】
【０００４】
ところで、前述した透湿防水シートの施工は、例えば、ロール状に巻かれた透湿防水シートを繰り出しながら、当該透湿防水シートをステープル等で構造用面材に固定することで行われる。しかし、ロール状に巻かれた透湿防水シートは重くなりやすく、扱いづらい。このため、シートの施工が、容易ではないという課題がある。
【０００５】
本発明は前記事情に鑑みてなされたものであって、シートを容易に施工することができるシート施工用具を提供することを目的とする。
【課題を解決するための手段】
【０００６】
前記目的を達成するために本発明に係る一態様のシート施工用具は、ロール状に巻かれたシートを軸回り方向に回転可能に保持する保持部と、前記シートの軸方向の巻きずれを抑える巻きずれ抑制部とを備えることを特徴とする。
【発明の効果】
【０００７】
本発明に係る一態様のシート施工用具は、シートを容易に施工することができる。
【図面の簡単な説明】
【０００８】
【図１】図１Ａ及び図１Ｂは、本発明に係る実施形態のシート施工用具及びこれに保持されたシートであり、図１Ａは斜視図であり、図１Ｂは図１ＡのＸ−Ｘ線断面図である。
【図２】図２は、同上のシート施工用具を用いてシートを施工する様子を示した斜視図である。
【図３】図３は、変形例１のシート施工用具及びこれに保持されたシートの斜視図である。
【図４】図４は、変形例２のシート施工用具及びこれに保持されたシートの水平断面図である。
【図５】図５Ａ及び図５Ｂは、変形例３のシート施工用具の斜視図であり、図５Ａは両保持体を保持姿勢にした状態を示し、図５Ｂは両保持体を収納姿勢にした状態を示す。
【発明を実施するための形態】
【０００９】
以下に示す実施形態は、シートを施工する際に用いるシート施工用具に関する。
【００１０】
（実施形態）
図１に示す本実施形態のシート施工用具１は、図２に示すように、シート８を取付箇所となる縦面９に取り付ける際に用いられる。縦面９は、例えば、壁下地や構造用面材、柱材、断熱材、壁材等が有する水平方向に対して交差した面である。なお、縦面９は、鉛直な面だけでなく、鉛直に対して傾いた面であってもよい。
【００１１】
図１Ａに示すように、シート施工用具１は、ロール状に巻かれたシート８を軸回り方向に回転可能に保持する保持部２と、保持部２に保持されたシート８の軸方向の端面に対向する巻きずれ抑制部３とを備えている。
【００１２】
本実施形態のシート施工用具１は、図２に示すように、シート８を施工する際に、棒状の保持部２の長さ方向が縦面９に沿って上下方向と略平行な姿勢とされる。そして、作業者は、この姿勢にされたシート施工用具１の保持部２からシート８を引き出しながら、シート８を縦面９に順次固定していく。
【００１３】
なお、以下では、シート施工用具１の各構成について、シート施工用具１を前記姿勢としたときの方向を用いて説明する。具体的には、図１Ａに示すように、保持部２の長手方向の一方側に向かう方向を上方とし、他方側に向かう方向を下方とする。また、保持部２から縦面９に向かう方向を前方、保持部２から縦面９とは反対側に向かう方向を後方とする。
【００１４】
保持部２は、例えば金属製、樹脂製又は木製である。本実施形態の保持部２は、中実又は中空の丸棒状に形成されており、断面円形の外周面を有している。保持部２は、ロール状に巻かれたシート８の内側に形成された上下方向に貫通する孔８０に通される。これにより、シート８は、保持部２によりシート８の軸回り方向（保持部２の軸回り方向）に回転可能に保持される。なお、シート８が図１Ａに示すように紙管８１に巻きつけられたものである場合、シート８はこの紙管８１の内側の孔８０に通された保持部２により保持される。
【００１５】
保持部２の下端部には、巻きずれ抑制部３が連結されている。巻きずれ抑制部３は、例えば金属製、樹脂製又は木製である。巻きずれ抑制部３は、保持部２の長手方向と直交する板状に形成されており、巻きずれ抑制部３の平面視形状は、左右方向に延びた矩形状である。
【００１６】
保持部２の下端部は、巻きずれ抑制部３の平面視における中央部に連結されている。巻きずれ抑制部３は、平面視において、保持部２から前後両方向及び左右両方向に突出している。
【００１７】
巻きずれ抑制部３の上面は平坦な面であり、保持部２で保持されたロール状のシート８の端面に対向する。シート８の軸方向の端面は、巻きずれ抑制部３の上面に接することで、シート８の軸方向の巻きずれが抑制される。ここで、「巻きずれ」とは、ロール状に巻かれたシート８において重なり合う部分同士が、シート８の軸方向にずれることを意味する。すなわち、ロール状に巻かれたシート８の重なり合う部分の下端面が、巻きずれ抑制部３の上面に当たることにより、巻きずれが抑制される。
【００１８】
シート施工用具１が縦面９に沿って配置されたときに、巻きずれ抑制部３が縦面９に当たることを抑制するため、巻きずれ抑制部３の前端から保持部２の前端までの前後方向の寸法Ｌ１（図１Ｂ参照）は、短いことが好ましい。例えば、寸法Ｌ１は、保持部２の前後寸法Ｌ２よりも短い寸法とされる。あるいは、巻きずれ抑制部３は、シート８が巻きつけられた紙管８１が、当該紙管８１を保持する保持部２と同心となる位置に配置された状態において、巻きずれ抑制部３の前端が、紙管８１の前端よりも後方に位置するように形成される。
【００１９】
図１Ａに示すように、本実施形態のシート施工用具１は、把持部４をさらに備えている。把持部４は、保持部２の上端部に連結されており、保持部２の長手方向において巻きずれ抑制部３とは反対側に位置している。
【００２０】
把持部４は、三角形枠状の枠状部４０と、枠状部４０から下方に突出した連結部４１とを有している。枠状部４０は、枠状部４０の一辺を構成し、長手方向が左右方向と平行な棒状部４００を有している。棒状部４００の両端は、枠状部４０の他の二辺を介して連結部４１にそれぞれ接続されている。利用者は、例えば、棒状部４００を掴むことにより、シート施工用具１を保持部２の長さ方向が上下方向に沿うように吊り下げることができる。
【００２１】
把持部４の連結部４１は、保持部２の上端部に着脱可能に連結されている。保持部２から把持部４を取り外した状態では、ロール状のシート８の孔８０に保持部２を差し込むことで、シート８を保持部２に保持させることができる。また、保持部２に保持されたシート８が、保持部２から巻きずれ抑制部３とは反対側に移動したとき、シート８は把持部４に当たる。このため、シート８は保持部２から巻きずれ抑制部３とは反対側に抜け出難い。
【００２２】
本実施形態のシート施工用具１は、利用者の肩に掛けられる肩掛用ストラップ５をさらに備えている。肩掛用ストラップ５は、変形可能な紐又は帯であり、一端部が巻きずれ抑制部３に連結され、他端部が把持部４に連結されている。利用者は、例えばシート施工用具１を持ち運ぶ際、肩掛用ストラップ５を肩に掛けることで、シート施工用具１を容易に保持することができる。
【００２３】
地面や足場等に立つ作業者は、例えば図２に示すように、シート施工用具１を用いてシート８を縦面９に施工する。この場合、まず、把持部４を掴んでシート施工用具１をシート８の軸方向が上下方向に沿うように吊り下げる。続いて、シート施工用具１を動かして保持部２で保持されたロール状のシート８を縦面９に沿わせ、シート８の端部をステープル等の固着具を用いて縦面９に固定する。続いて、シート施工用具１を縦面９に沿って横方向に動かし、これにより、保持部２で保持されたシート８を保持部２から引き出す。この後、シート８における保持部２から引き出された部分をステープル等の固着具を用いて縦面９に固定する。そして、以後、前述したシート８の引き出しと、固着具によるシート８の固定とを繰り返し行い、縦面９の所望の箇所の全体にシート８を施工する。
【００２４】
（変形例）
次に変形例のシート施工用具１について説明する。なお、以下の各変形例の説明では、前記実施形態と共通する構成要素については同一の符号を付して説明を省略する。
【００２５】
（変形例１）
図３に示す変形例１のシート施工用具１は、把持部４がロール状のシート８の軸方向に対して角度変更可能である。本変形例の把持部４は、連結部４１が保持部２の上端部に対して、回転軸方向が左右方向と平行になるように回転可能に連結されている。把持部４は、保持部２の上端部から上方に突出した起立姿勢（図３において二点鎖線で示した姿勢）と、保持部２の上端部から後方に突出した倒伏姿勢（図３において実線で示した姿勢）との間の範囲で回転可能である。なお、本変形例のシート施工用具１は、把持部４を保持部２に対して前記範囲における任意の角度位置で固定するための手段を備えていないが、備えていてもよい。
【００２６】
利用者は、把持部４を保持部２に対して回転させることで、把持部４のシート８の軸方向に対する角度を任意の角度に変更することができる。このため、例えば把持部４を起立姿勢にして、シート施工用具１を持ち運びやすくすることができる。また、シート８の施工時には、把持部４を倒伏姿勢にし、把持部４の把持される部分（棒状部４００）を縦面９から離れて、把持部４を把持した手が縦面９に当たり難い位置に配置することができる。
【００２７】
（変形例２）
図４に示す変形例２のシート施工用具１は、巻きずれ抑制部３の前端（縦面９側の端）が、保持部２の前端と同じ位置に配置されている。このため、シート施工用具１が縦面９に沿って配置されたときに巻きずれ抑制部３は縦面９に一層当たり難くなる。なお、巻きずれ抑制部３の前端は、保持部２の前端よりも後方（縦面９とは反対側）に位置してもよい。
【００２８】
（変形例３）
図５Ａ及び図５Ｂに示す変形例３のシート施工用具１は、上下方向に延びた本体部６を備えており、保持部２が、本体部６の上下両端部にそれぞれ連結された一対の保持体２０で構成されている。
【００２９】
本体部６の上下両端部には、上下方向と直交する方向に突出して互いに対向する一対の対向部６０がそれぞれ形成されている。各対向部６０には、棒状の保持体２０の一端部が、回転軸方向が前後方向と平行になるように回転可能に連結されている。
【００３０】
各保持体２０は、他方の対向部６０側に向かって突出した図５Ａに示す保持姿勢と、対向部６０に収納された図５Ｂに示す収納姿勢との間で回転可能である。シート施工用具１は、各保持体２０を保持姿勢となる回転方向に付勢するばね等の付勢部材（図示せず）を備えている。
【００３１】
本変形例では、把持部４が上側の対向部６０に取り付けられており、肩掛用ストラップ５の両端部が、本体部６の上下両端部にそれぞれ連結されている。
【００３２】
本変形例のシート施工用具１では、両保持体２０が保持姿勢にある状態で、両対向部６０の間にロール状に巻かれたシート８を側方から挿入することで、シート８を保持部２に保持する。この場合、シート８は、両保持体２０を収納姿勢に向かって押し込みながら、シート８の孔８０が両保持体２０と重なる位置まで動かされ、各保持体２０が前記付勢部材の付勢力により保持姿勢に復帰してシート８の孔８０に挿入される。これにより、シート８は保持姿勢に配置された両保持体２０によりシート８の軸回り方向に回転可能に保持される。
【００３３】
なお、変形例１〜３のシート施工用具１の各構成要素は、適宜組み合わせてもよい。また、この他、前記実施形態及び各変形例のシート施工用具１は、適宜設計変更可能である。
【００３４】
例えば、保持部２は、シート８の内側に配置されるものだけでなく、シート８の外側に配置されてシート８を外周側から回転可能に保持するように構成されてもよい。
【００３５】
また、巻きずれ抑制部３は、矩形以外の板状であってもよい。また、巻きずれ抑制部３は、板状以外の形状に形成されてもよい。
【００３６】
また、例えば、巻きずれ抑制部３を保持部２の下端部に対して着脱可能に連結し、この巻きずれ抑制部３を保持部２から取り外すことにより、保持部２をロール状のシート８の孔８０に差し込めるようにしてもよい。
【００３７】
以上説明した前記実施形態及び各変形例のシート施工用具１は、以下に示す特徴を有している。シート施工用具１は、ロール状に巻かれたシート８を軸回り方向に回転可能に保持する保持部２と、シート８の軸方向の巻きずれを抑える巻きずれ抑制部３とを備える。以下、この特徴を有するシート施工用具１を第１の態様のシート施工用具１という。
【００３８】
第１の態様のシート施工用具１は、保持部２で保持されたロール状のシート８の端部を、シート８の取付箇所（縦面９）に固定した状態で、シート施工用具１を動かしてシート８を引き出しつつ、シート８を取付箇所に順次取り付けることができる。このため、シート８の施工が容易になる。また、巻きずれ抑制部３により、シート８の軸方向の巻きずれを抑制することができる。
【００３９】
また、前記実施形態及び各変形例のシート施工用具１は、第１の態様のシート施工用具１が有する特徴に加えて、以下に示す付加的な特徴を有する。シート施工用具１は、シート８の軸方向が上下方向に沿うように吊り下げ可能な把持部４を備える。以下、このシート施工用具１を第２の態様のシート施工用具１という。
【００４０】
第２の態様のシート施工用具１は、把持部４を把持してシート施工用具１をシート８の取付箇所に沿って吊り下げた状態で、シート施工用具１を動かすことにより、保持部２からシート８を簡単に引き出すことができ、シート８の施工が容易になる。
【００４１】
また、変形例１のシート施工用具１は、第２の態様のシート施工用具１が有する特徴に加えて、以下に示す付加的な特徴を有する。把持部４がシート８の軸方向に対して角度変更可能である。以下、このシート施工用具１を第３の態様のシート施工用具１という。
【００４２】
第３の態様のシート施工用具１は、把持部４のシート８の軸方向に対する角度を変更して、シート施工用具１を持ちやすくすることができる。また、シート８の施工時には、把持部４をシート８の取付箇所から離れた位置に配置することができ、これにより、把持部４を把持した手が取付箇所に当たり難くなってシート８の施工が一層容易になる。
【００４３】
また、変形例２のシート施工用具１は、第１〜第３のいずれかの態様のシート施工用具１が有する特徴に加えて、以下に示す付加的な特徴を有する。巻きずれ抑制部３が保持部２に接続されている。巻きずれ抑制部３の前端は、保持部２の前端と同じ又は保持部２の前端よりも後方に位置する。以下、このシート施工用具１を第４の態様のシート施工用具１という。
【００４４】
第４の態様のシート施工用具１は、シート８の施工時において、巻きずれ抑制部３が、シート８の取付箇所に当たり難くなり、シート８の施工が一層容易になる。
【符号の説明】
【００４５】
１  シート施工用具
２  保持部
３  巻きずれ抑制部
４  把持部
８  シート
【図１】
2019094740.tif 000003
【図２】
2019094740.tif 000004
【図３】
2019094740.tif 000005
【図４】
2019094740.tif 000006
【図５】
2019094740.tif 000007